(57)【特許請求の範囲】
【請求項１】
取り込みコンテンツ項目に関連するコンテンツ構造化ノードを含む階層ビューを表示する方法であって、
複数のコンテンツ構造化ノードを含む階層分類を提供するステップと、
コンピュータにおいて、コンテンツ調査中にユーザが取り込んだ複数の取り込みコンテンツ項目を受け取るステップと、
前記複数のコンテンツ構造化ノードからのコンテンツ構造化ノードを前記複数の取り込みコンテンツ項目からの指定取り込みコンテンツ項目と関連付けるためのユーザオプションを提供するステップと、
前記ユーザオプションのユーザ選択を受け取ることに応答して、前記コンテンツ構造化ノードを前記指定取り込みコンテンツ項目に関連付けて、前記指定取り込みコンテンツ項目が前記複数のコンテンツ構造化ノードのうちの少なくとも１つに関連するようにするステップと、
前記複数のコンテンツ構造化ノードを含む階層ビューを表示するステップと、を含み、  前記階層ビューは、前記複数のコンテンツ構造化ノードの各々について、前記コンテンツ構造化ノードが前記複数の取り込みコンテンツ項目のうちの少なくとも１つに関連する旨のグラフィカル表現を含み、
前記グラフィカル表現は、前記コンテンツ構造化ノードの近傍に表示された取り込み属性アイコンを含み、
前記取り込み属性アイコンは、前記コンテンツ構造化ノードに関連する前記指定取り込みコンテンツ項目を取り込んだユーザ、前記コンテンツ構造化ノードに関連する前記指定取り込みコンテンツ項目の取り込み時間、又は前記コンテンツ構造化ノードに関連する前記指定取り込みコンテンツ項目のコンテンツタイプのうちの少なくとも１つを示す、方法。
【請求項２】
前記複数の取り込みコンテンツ項目は、第１の取り込みコンテンツ項目及び第２の取り込みコンテンツ項目を含み、
前記複数のコンテンツ構造化ノードは、第１のコンテンツ構造化ノード及び第２のコンテンツ構造化ノードを含み、
前記第１の取り込みコンテンツ項目は、前記第１のコンテンツ構造化ノードに関連し、  前記第２の取り込みコンテンツ項目は、前記第２のコンテンツ構造化ノードに関連し、  前記グラフィカル表現は、前記第１の取り込みコンテンツ項目が前記第１のコンテンツ構造化ノードに関連する旨、及び前記第２の取り込みコンテンツ項目が前記第２のコンテンツ構造化ノードに関連する旨を示す、請求項１に記載の方法。
【請求項３】
前記複数のノードのうちの１つのノードについて、該ノードが前記第１の取り込みコンテンツ項目に関連する程度を示す構造的適合スコア強度を計算するステップと、
前記構造的適合スコア強度に基づいて、前記ノードを前記第１のコンテンツ構造化ノードとして前記第１の取り込みコンテンツ項目に関連付けるステップと、を更に含む請求項２に記載の方法。
【請求項４】
前記複数のノードの各ノードについて前記構造的適合スコア強度を計算するステップと、
前記構造的適合スコア強度が最も高いノードを前記第１のコンテンツ構造化ノードとして前記第１の取り込みコンテンツ項目に関連付けるステップと、を更に含む請求項３に記載の方法。
【請求項５】
前記複数のノードの各ノードについて第１のコンテンツ構造的適合スコア強度を計算することにより、前記複数のノードのうちの前記第１のコンテンツ構造的適合スコア強度が最も高いノードである、前記第１の取り込みコンテンツ項目の最良適合ノードを決定するステップと、
前記複数のノードの各ノードについて第２のコンテンツ構造的適合スコア強度を計算することにより、前記複数のノードのうちの前記第２のコンテンツ構造的適合スコア強度が最も高いノードである、前記第２の取り込みコンテンツ項目の最良適合ノードを決定するステップと、を更に含み、
前記第１のコンテンツ構造化ノード及び前記第２のコンテンツ構造化ノードの少なくとも一方は、前記第１の取り込みコンテンツ項目の前記最良適合ノード及び前記第２の取り込みコンテンツ項目の前記最良適合ノードの少なくとも一方に基づいて決定される、請求項２に記載の方法。
【請求項６】
前記第１のコンテンツ構造化ノード及び前記第２のコンテンツ構造化ノードは、共通コンテンツ構造化ノードであり、該共通コンテンツ構造化ノードは、前記第１のコンテンツ構造化ノードの親ノードであるとともに、前記第２のコンテンツ構造化ノードの親ノードである、請求項５に記載の方法。
【請求項７】
前記第１のコンテンツ構造化ノードは、前記第１の取り込みコンテンツ項目の前記最良適合ノードであり、前記第２のコンテンツ構造化ノードは、前記第２の取り込みコンテンツ項目の前記最良適合ノードである、請求項５に記載の方法。
【請求項８】
前記複数のコンテンツ構造化ノードは、拡散率に基づいて前記複数の取り込みコンテンツ項目に関連付けられる、請求項１に記載の方法。
【請求項９】
前記グラフィカル表現は、前記複数のコンテンツ構造化ノードのうちの少なくとも１つをハイライト表示して、前記複数の取り込みコンテンツ項目のうちの少なくとも１つが前記ハイライト表示されたノードに関連することを示すことを含む、請求項１に記載の方法。
【請求項１０】
取り込みコンテンツ項目に関連するコンテンツ構造化ノードを含む階層ビューを表示する方法であって、
複数のノードを含む階層分類を提供するステップと、
第１の取り込みコンテンツ項目及び第２の取り込みコンテンツ項目を含む複数の取り込みコンテンツ項目をコンピュータにおいて受け取るステップと、
前記複数のノードからの複数のコンテンツ構造化ノードを第１の取り込みコンテンツ項目及び第２の取り込みコンテンツ項目と関連付けるためのユーザオプションを提供するステップと、
前記ユーザオプションの選択に応答して、前記複数のノードからの複数のコンテンツ構造化ノードを、第１のコンテンツ構造化ノード及び第２のコンテンツ構造化ノードを含む前記複数のコンテンツ構造化ノードに関連付けて、前記第１の取り込みコンテンツ項目が前記第１のコンテンツ構造化ノードに関連し、前記第２の取り込みコンテンツ項目が前記第２のコンテンツ構造化ノードに関連するようにするステップと、
前記複数のコンテンツ構造化ノードを含む前記階層ビューを表示するステップと、を含み、
前記階層ビューは、前記第１の取り込みコンテンツ項目が前記第１のコンテンツ構造化ノードに関連し、及び前記第２の取り込みコンテンツ項目が前記第２のコンテンツ構造化ノードに関連する旨のグラフィカル表現を含み、
前記グラフィカル表現は、前記第１のコンテンツ構造化ノードの近傍に表示された第１の取り込み属性アイコンと、前記第２のコンテンツ構造化ノードの近傍に表示された第２の取り込み属性アイコンとを含み、前記第１の取り込み属性アイコンは、前記第１の取り込みコンテンツ項目の取り込みに関する属性を示し、前記第２の取り込み属性アイコンは、前記第２の取り込みコンテンツ項目の取り込みに関する属性を示す、方法。
【請求項１１】
前記第１の取り込み属性アイコンは、前記第１の取り込みコンテンツ項目を取り込んだ第１のユーザ、前記第１の取り込みコンテンツ項目の第１の取り込み時間、又は前記第１の取り込みコンテンツ項目の第１のコンテンツタイプを示し、
前記第２の取り込み属性アイコンは、前記第２の取り込みコンテンツ項目を取り込んだ第２のユーザ、前記第２の取り込みコンテンツ項目の第２の取り込み時間、又は前記第２の取り込みコンテンツ項目の第２のコンテンツタイプを示す、請求項１０に記載の方法。
【請求項１２】
前記第１の取り込み属性アイコンは、前記第１の取り込みコンテンツ項目を取り込んだ第１のユーザを示し、前記第２の取り込み属性アイコンは、前記第２の取り込みコンテンツ項目を取り込んだ第２のユーザを示す、請求項１０に記載の方法。
【請求項１３】
取り込みコンテンツの構造化識別子を決定する方法であって、
複数のコンテンツ構造化ノードを含む階層分類を提供するステップと、
コンピュータにおいて、コンテンツ調査中にユーザが取り込んだ取り込みコンテンツ項目を受け取るステップと、
前記取り込みコンテンツ項目と関連付けるための前記複数のコンテンツ構造化ノードからの推奨コンテンツ構造化ノードを決定するステップと、
前記推奨コンテンツ構造化ノードを前記取り込みコンテンツ項目と関連付けるためのユーザオプションを提供するステップと、
前記ユーザオプションのユーザ選択を受け取ることに応答して、前記取り込みコンテンツ項目に前記推奨コンテンツ構造化ノードを関連付けるステップと、
前記推奨コンテンツ構造化ノードに基づいて、前記取り込みコンテンツ項目の前記構造化識別子を決定するステップと、
前記複数のコンテンツ構造化ノードを含む階層ビューを表示するステップと、を含み、  前記階層ビューは、第１のコンテンツ構造化ノードの近傍に表示された取り込み属性アイコンを含み、
前記取り込み属性アイコンは、前記第１のコンテンツ構造化ノードに関連する前記取り込みコンテンツ項目を取り込んだユーザ、前記第１のコンテンツ構造化ノードに関連する前記取り込みコンテンツ項目の取り込み時間、又は前記第１のコンテンツ構造化ノードに関連する前記取り込みコンテンツ項目のコンテンツタイプのうちの少なくとも１つを示す、方法。
【請求項１４】
前記取り込みコンテンツ項目の前記構造化識別子は、以前に取り込んだコンテンツ項目の構造化識別子にアクセスすることによって決定され、
前記取り込みコンテンツ項目と、前記以前に取り込んだコンテンツ項目とが、閾値数のコンテンツ構造化ノードを共有している場合、前記取り込みコンテンツ項目の前記構造化識別子は、前記以前に取り込んだコンテンツ項目の前記構造化識別子として決定される、請求項１３に記載の方法。
【請求項１５】
複数のノードを含む階層分類を提供するステップを更に含み、前記複数のコンテンツ構造化ノードは、前記階層分類の前記複数のノードから識別される、請求項１３に記載の方法。
【請求項１６】
前記複数のノードのうちの１つのノードについて、該ノードが前記第１の取り込みコンテンツ項目に関連する程度を示す構造的適合スコア強度を計算するステップを更に含む、請求項１５に記載の方法。
【発明の詳細な説明】
【技術分野】
【０００１】
〔関連出願との相互参照〕
本出願は、２０１４年８月１８日に出願された米国特許出願第１４／４６１，８２９号に対する優先権を主張するものであり、この特許出願はその全体が引用により本明細書に組み入れられる。
【０００２】
本明細書は、一般に、取り込みコンテンツ(captured content)に関連する情報の表示、及び取り込みコンテンツの処理に関し、具体的には、取り込みコンテンツに関連するコンテンツ構造化ノード(content organization nodes)の階層ビューを表示して取り込みコンテンツの構造化識別子(organizational identifiers)を決定するシステム及び方法に関する。
【背景技術】
【０００３】
ユーザチームは、情報収集又は法律検索などのタスクを実行するために、様々なコンテンツ及び／又は文書を見直すことがある。チームのユーザは、複数のコンテンツを見直す際に、複数の情報源からコンテンツを取り込んで後から見直し又は分析を行いたいと望むことがある。ユーザは、特に様々なコンテンツを取り込んで後から使用する際に、取り込んだ様々なコンテンツをどのように分類するか、又はこれらのコンテンツが他の取り込んだコンテンツとどのように関連するかを思い出すのが困難な場合がある。また、ユーザは、このような取り込みコンテンツを構造化することが困難で面倒な場合もある。さらに、チームの各ユーザは、取り込みコンテンツをチームの他のメンバが追跡し、チームが取り込んだコンテンツがどのように関連するかを理解することが困難な場合もある。たとえたった１人のユーザが様々な情報源からコンテンツを取り込む状況であっても、ユーザは、様々な取り込みコンテンツをどのように分類するか、又はこれらのコンテンツが他の取り込みコンテンツとどのように関連するかを思い出すのが困難な場合がある。
【発明の概要】
【発明が解決しようとする課題】
【０００４】
従って、取り込みコンテンツに関連するコンテンツ構造化ノードの階層ビューを表示して取り込みコンテンツの構造化識別子を決定する別のシステム及び方法が必要とされている。
【課題を解決するための手段】
【０００５】
１つの実施形態では、取り込みコンテンツ項目(captured content items)に関連するコンテンツ構造化ノードを含む階層ビューを表示する方法が、複数のノードを含む階層分類(hierarchical taxonomy)を準備するステップを含む。この方法は、コンピュータにおいて複数の取り込みコンテンツ項目を受け取るステップをさらに含む。この方法は、複数のノードからの複数のコンテンツ構造化ノードを複数の取り込みコンテンツ項目に関連付けるステップをさらに含む。複数の取り込みコンテンツ項目の各々は、複数のコンテンツ構造化ノードのうちの少なくとも１つに関連する。この方法は、複数のコンテンツ構造化ノードを含む階層ビューを表示するステップをさらに含む。この階層ビューは、複数のコンテンツ構造化ノードの各々について、コンテンツ構造化ノードが複数の取り込みコンテンツ項目のうちの少なくとも１つに関連する旨のグラフィカル表現を含む。
【０００６】
別の実施形態では、取り込みコンテンツ項目に関連するコンテンツ構造化ノードを含む階層ビューを表示する方法が、複数のノードを含む階層分類を準備するステップを含む。この方法は、コンピュータにおいて複数の取り込みコンテンツ項目を受け取るステップをさらに含む。複数の取り込みコンテンツ項目は、第１の取り込みコンテンツ項目及び第２の取り込みコンテンツ項目を含む。この方法は、複数のノードからの複数のコンテンツ構造化ノードを複数の取り込みコンテンツ項目に関連付けるステップをさらに含む。複数のコンテンツ構造化ノードは、第１のコンテンツ構造化ノード及び第２のコンテンツ構造化ノードを含む。第１の取り込みコンテンツ項目は、第１のコンテンツ構造化ノードに関連する。第２の取り込みコンテンツ項目は、第２のコンテンツ構造化ノードに関連する。この方法は、複数のコンテンツ構造化ノードを含む階層ビューを表示するステップをさらに含む。この階層ビューは、第１の取り込みコンテンツ項目が第１のコンテンツ構造化ノードに関連し、第２の取り込みコンテンツ項目が第２のコンテンツ構造化ノードに関連する旨のグラフィカル表現を含む。このグラフィカル表現は、第１のコンテンツ構造化ノードの近傍に表示された第１の取り込み属性アイコン(capture attribute icon)と、第２のコンテンツ構造化ノードの近傍に表示された第２の取り込み属性アイコンとを含む。第１の取り込み属性アイコンは、第１の取り込みコンテンツ項目の取り込みに関する属性を示す。第２の取り込み属性アイコンは、第２の取り込みコンテンツ項目の取り込みに関する属性を示す。
【０００７】
さらに別の実施形態では、取り込みコンテンツの構造化識別子を決定する方法が、コンピュータにおいて取り込みコンテンツ項目を受け取るステップを含む。この方法は、コンテンツ項目に複数のコンテンツ構造化ノードを取り込み関連付けるステップと、複数のコンテンツ構造化ノードに基づいて、取り込みコンテンツ項目の構造化識別子を決定するステップとをさらに含む。
【０００８】
以下の詳細な説明を図面と共に考慮すれば、本明細書で説明する実施形態によって示すこれらの特徴及びさらなる特徴がさらに完全に理解されるであろう。
【０００９】
図面に示す実施形態は、本質的に説明的かつ例示的なものであり、特許請求の範囲に定める主題を限定するものではない。以下の例示的な実施形態についての詳細な説明は、同じ構造を同様の参照符号で示す以下の図面と共に読むことによって理解することができる。
【図面の簡単な説明】
【００１０】
【図１】本明細書で図示し説明する１又は２以上の実施形態による、取り込みコンテンツに関連するコンテンツ構造化ノードの階層ビューを表示して取り込みコンテンツの構造化識別子を決定するシステムのコンピュータネットワークの概略図である。
【図２】本明細書で図示し説明する１又は２以上の実施形態による、取り込みコンテンツに関連するコンテンツ構造化ノードの階層ビューを表示して取り込みコンテンツの構造化識別子を決定するために使用できるハードウェア及びソフトウェアをさらに示す、図１のサーバコンピュータ装置の概略図である。
【図３】本明細書で図示し説明する１又は２以上の実施形態による、取り込みコンテンツに関連するコンテンツ構造化ノードの階層ビューを表示する方法のフローチャートである。
【図４】本明細書で図示し説明する１又は２以上の実施形態による、取り込みコンテンツの構造化識別子を決定する方法のフローチャートである。
【図５】本明細書で図示し説明する１又は２以上の実施形態による、コンテンツを取り込むためのグラフィカルユーザインターフェイスの概略図である。
【図６】本明細書で図示し説明する１又は２以上の実施形態による、共同チームの３人の異なるユーザによって取り込まれた５つの取り込みコンテンツ項目との関連性が最も高い上位３つのノードを含む階層ビューの概略図である。
【図７】本明細書で図示し説明する１又は２以上の実施形態による、どのコンテンツ構造化ノードが取り込みコンテンツ項目に関連するかについてのグラフィカル表現を含む集中階層ビューを含むグラフィカルユーザインターフェイスの概略図である。
【図８】本明細書で図示し説明する１又は２以上の実施形態による、どのコンテンツ構造化ノードが取り込みコンテンツ項目に関連するかについてのグラフィカル表現を含む高度に拡散した階層ビューを含むグラフィカルユーザインターフェイスの概略図である。
【図９】本明細書で図示し説明する１又は２以上の実施形態による、どのコンテンツ構造化ノードが取り込みコンテンツ項目に関連するかについてのグラフィカル表現と、取り込みコンテンツ項目に関連しないノード及び分枝とを含む完全に非剪定的な階層ビューのグラフィカルユーザインターフェイスの概略図である。
【発明を実施するための形態】
【００１１】
図を全体的に参照すると、本明細書で説明する実施形態は、取り込みコンテンツに関連するコンテンツ構造化ノードの階層ビューを表示して取り込みコンテンツの構造化識別子を決定するシステム及び方法に関する。取り込みコンテンツ項目に関連するコンテンツ構造化ノードの階層ビューを表示する方法は、複数のノードを含む階層分類を準備するステップと、取り込みコンテンツを受け取るステップと、複数のコンテンツ構造化ノードを取り込みコンテンツ項目に関連付けるステップと、取り込みコンテンツとコンテンツ構造化ノードとの関連性についてのグラフィカル表現を含む階層ビューを表示するステップとを含む。様々な取り込みコンテンツ項目に関連するコンテンツ構造化ノードを示す階層ビューを提示することにより、ユーザは、表示された階層ビューを素早く視覚的に見直すことによって、複数の取り込みコンテンツの主題又は分類を直感的かつ効率的に理解することができる。さらに、このような階層ビューは、コンテンツを取り込んで互いに共有したいと望むユーザチームによる見直し及び協業を容易にすることができる。取り込みコンテンツの構造化識別子を決定する方法は、取り込みコンテンツを受け取るステップと、取り込みコンテンツに複数のコンテンツ構造化ノードを関連付けるステップと、複数のコンテンツ構造化ノードに基づいて、取り込みコンテンツの構造化識別子を決定するステップとを含む。コンテンツ構造化ノードに基づいて取り込みコンテンツの構造化識別子を決定することにより、取り込みコンテンツを後で取り出して分析できるようにするための構造化及び分類を改善することができる。以下、取り込みコンテンツに関連するコンテンツ構造化ノードの階層ビューを表示して取り込みコンテンツの構造化識別子を決定するシステム及び方法の様々な実施形態について説明する。
【００１２】
本明細書で使用する「取り込みコンテンツ項目」という用語は、（例えば、ユーザが、コンテンツを後で取り出せるように保存し、分類し、又は構造化すべきであるなどの旨を示した時に）ユーザによる記憶又は将来的な使用のために取り込まれた文書、文書の一部、画像、録音、ビデオ、ウェブページ、又は同様のものを意味する。
【００１３】
ここで図面を参照すると、図１に、本明細書において図示し説明する実施形態による、取り込みコンテンツに関連するコンテンツ構造化ノードの階層ビューを表示して取り込みコンテンツの構造化識別子を決定するシステムの構成要素を示す例示的なコンピュータネットワークを示している。図１に示すコンピュータネットワーク１０は、インターネットなどの広域ネットワーク、ローカルエリアネットワーク（ＬＡＮ）、モバイル通信ネットワーク、公衆サービス電話網（ＰＳＴＮ）及び／又はその他のネットワークを含むことができ、ユーザコンピュータ装置１２ａとサーバコンピュータ装置１２ｂと管理者コンピュータ装置１２ｃとを電子的に接続するように構成することができる。
【００１４】
引き続き図１を参照すると、ユーザコンピュータ装置１２ａは、コンテンツの取り込みと、本明細書で説明するグラフィカルユーザインターフェイス及び階層ビューの表示とを容易にするために使用ことができる。ユーザコンピュータ装置１２ａは、その他のユーザ機能を実行するために利用することもできる。
【００１５】
引き続き図１を参照すると、管理者コンピュータ装置１２ｃは、とりわけサーバコンピュータ装置１２ｂのための管理機能を実行することができる。サーバコンピュータ装置１２ｂの監視、更新又は補正が必要な場合には、管理者コンピュータ装置１２ｃを、所望の監視、更新及び／又は補正を行うように構成することができる。管理者コンピュータ装置１２ｃ、並びにコンピュータネットワーク１０に結合された他のいずれかのコンピュータ装置は、以下で詳細に説明する複数のノードを含む階層分類を提供するために使用することができる。
【００１６】
引き続き図１を参照すると、サーバコンピュータ装置１２ｂは、取り込みコンテンツを受け取って、取り込みコンテンツにコンテンツ構造化ノードを関連付けることができる。サーバコンピュータ装置１２ｂは、取り込みコンテンツを受け取り、取り込みコンテンツにコンテンツ構造化ノードを関連付け、コンテンツ構造化ノードに基づいて取り込みコンテンツの構造化識別子を決定することもできる。また、サーバコンピュータ装置１２ｂは、取り込みコンテンツに関連するコンテンツ構造化ノードの階層ビュー又は同様のものなどの取り込みコンテンツに関連する情報をユーザコンピュータ装置１２ａが表示できるように、ユーザコンピュータ装置１２ａに情報を送信することもできる。サーバコンピュータ装置１２ｂの構成要素及び機能については、以下で詳細に説明する。
【００１７】
なお、図１には、ユーザコンピュータ装置１２ａ及び管理者コンピュータ装置１２ｃをパーソナルコンピュータとして示し、サーバコンピュータ装置１２ｂをサーバとして示しているが、これらは非限定的な例であると理解されたい。さらに具体的に言えば、いくつかの実施形態では、あらゆるタイプのコンピュータ装置（例えば、モバイルコンピュータ装置、パーソナルコンピュータ、サーバなど）をこれらの構成要素のいずれかに使用することができる。また、図１では、これらのコンピュータ装置の各々を単一のハードウェアとして示しているが、これも一例にすぎない。さらに具体的に言えば、ユーザコンピュータ装置１２ａ、サーバコンピュータ装置１２ｂ及び管理者コンピュータ装置１２ｃの各々は、複数のコンピュータ、サーバ、データベースなどを表すこともできる。
【００１８】
図２には、図１のサーバコンピュータ装置１２ｂを示すとともに、本明細書で図示し説明する実施形態による、取り込みコンテンツに関連するコンテンツ構造化ノードの階層ビューを表示して取り込みコンテンツの構造化識別子を決定するシステムをさらに示す。いくつかの実施形態では、サーバコンピュータ装置１２ｂを、必要なハードウェア、ソフトウェア及び／又はファームウェアを有する汎用コンピュータとして構成することができ、いくつかの実施形態では、このサーバコンピュータ装置１２ｂを、本明細書で説明する機能を実行するように特別に設計された専用コンピュータとして構成することもできる。
【００１９】
やはり図２に示すように、サーバコンピュータ装置１２ｂは、プロセッサ３０、入力／出力ハードウェア３２、ネットワークインターフェイスハードウェア３４、（階層分類３８ａを記憶することができる）データストレージ要素３６、及び非一時的メモリ要素４０を含むことができる。メモリ要素４０は、揮発性及び／又は不揮発性コンピュータ可読媒体として構成することができ、従って（ＳＲＡＭ、ＤＲＡＭ及び／又はその他のタイプのランダムアクセスメモリを含む）ランダムアクセスメモリ、フラッシュメモリ、レジスタ、コンパクトディスク（ＣＤ）、デジタル多用途ディスク（ＤＶＤ）、及び／又はその他のタイプのストレージ要素を含むことができる。また、メモリ要素４０は、動作ロジック４２、ノード関連付けロジック４４、ノード提案ロジック４５、スコア計算ロジック４６、表示ロジック４８及び構造化識別子決定ロジック４９（これらの各々は、一例としてコンピュータプログラム、ファームウェア又はハードウェアとして具体化することができる）を記憶するように構成することもできる。図２には、サーバコンピュータ装置１２ｂの構成要素間の通信を容易にするバス又はその他のインターフェイスとして実装できるローカルインターフェイス５０も含まれる。
【００２０】
引き続き図２を参照すると、プロセッサ３０は、（例えば、データストレージ要素３６及び／又はメモリ要素４０から）命令を受け取って実行するように構成されたいずれかの処理要素を含むことができる。入力／出力ハードウェア３２は、モニタ、キーボード、マウス、プリンタ、カメラ、マイク、スピーカ、タッチ画面、及び／又はデータの受信、送信及び／又は提示のための他の装置を含むことができる。ネットワークインターフェイスハードウェア３４は、モデム、ＬＡＮポート、ワイヤレスフィディリティ（Ｗｉ−Ｆｉ）カード、ＷｉＭａｘカード、モバイル通信ハードウェア、及び／又は他のネットワーク及び／又は装置と通信するための他のハードウェアなどのいずれかの有線又は無線ネットワークハードウェアを含むことができる。
【００２１】
引き続き図２を参照すると、データストレージ要素３６は、サーバコンピュータ装置１２ｂの局所及び／又は遠隔地に存在することができ、サーバコンピュータ装置１２ｂ及び／又はその他の構成要素がアクセスする１又は２以上のデータを記憶するように構成することができる。図２に示すデータストレージ要素３６は、階層分類３８ａを記憶することができる。階層分類３８ａは複数のノードを含み、コンテンツ構造化ノードのうちの１つ又は２つ以上をコンテンツに関連付ける際にコンテンツの分類又は構造化を容易にすることができる。階層分類３８ａは、一般に複数レベルのツリーにおけるノードを含むツリー状構造を有する。階層分類３８ａの高位レベルにおけるノードは、通常は一般性が高く、階層分類３８ａの低位レベルにおけるノードは、通常は特異性が高い。階層分類３８ａの親ノードは、この一般性の高い親ノードの話題又は主題のさらに特異性の高い話題又は主題に関連する１又は２以上の子ノードを有することができる。例えば、図６に法的階層分類を示す。この法的階層分類は、法的話題毎のコンテンツの分類又は構造化を容易にすることができ、図示の法的階層分類の左側のノードの方が一般性の高い話題であり、右側のノードの方が特異的になる。図６に示す法的階層分類は、「独占禁止法及び通商法」の法律ノード領域を含む。「独占禁止法及び通商法」の法律ノード領域は、「独占禁止法及び通商法」という法律領域内の副次的話題にそれぞれが関連する複数の子ノード（例えば、「免除及び免責」、「規制慣行」及び「シャーマン法」）を含む。これらの子ノードの各々は、さらに特異性の高い副次的話題に関連する子ノードを有する（例えば、「規制慣行」ノードは、「独占及び独占行為」、「価格協定及び取引制限」及び「私訴」という子ノードを含み、これらの各々は、「独占禁止法及び通商法」の副次的話題である「規制慣行」の副次的話題である）。このようなコンテンツを法的話題毎に分類又は構造化する分類法のノードのうちの１つ又は２つ以上にコンテンツ（例えば、訴訟事例、訴訟事例の頭注、法律批評論文、ウェブ記事、ニュース記事、法令又は同様のもの）を関連付けることができる。本明細書で説明する階層分類３８ａは、コンテンツを法的話題毎に分類又は構造化する法的話題の階層分類に関連するものであるが、他の実施形態は、組織の階層分類（例えば、組織図）、ニューストピックの階層分類、実体の階層分類又は同様のものなどの他のタイプの階層分類を含むこともできると理解されたい。さらに、本明細書で開示する実施形態は階層分類３８ａの文脈で説明しているが、実施形態はこれに限定されるものではないと理解されたい。例えば、いくつかの実施形態では、本明細書の実施形態において使用するデータ資産が階層分類でないこともある。
【００２２】
再び図２を参照すると、階層分類３８ａは、１又は２以上のデータストレージ装置に記憶することができる。別の実施形態では、サーバコンピュータ装置１２ｂを、階層分類３８ａ内の文書のうちの１つ又は２つ以上を含むリモートサーバ又はデータストレージ装置に結合することができる。データストレージ要素３６には、本明細書で説明する機能を支援する他のデータを記憶することもできる。
【００２３】
引き続き図２を参照すると、メモリ要素４０には、動作ロジック４２、ノード関連付けロジック４４、ノード提案ロジック４５、スコア計算ロジック４６、表示ロジック４８、及び構造化識別子決定ロジック４９が含まれる。動作ロジック４２は、オペレーティングシステム、及び／又はサーバコンピュータ装置１２ｂのコンポーネントを管理する他のソフトウェアを含むことができる。同様に、ノード関連付けロジック４４もメモリ要素４０内に存在することができ、以下で詳細に説明するように、階層分類内のノードからコンテンツ構造化ノードを識別して、このようなコンテンツ構造化ノードを取り込みコンテンツに関連付けるように構成することができる。ノード提案ロジック４５は、取り込みコンテンツに関連付けるように提案されるコンテンツ構造化ノードを生成し、ユーザコンピュータ装置１２ａに送信してユーザに表示することができる。スコア計算ロジック４６は、ノードが取り込みコンテンツに関連する程度を示す構造的適合スコア強度(strength of organizational fit score)を計算することができる。表示ロジック４８は、本明細書で説明するようなグラフィカルユーザインターフェイス、及び／又は本明細書で説明するようなコンテンツ構造化ノードの階層ビューの表示を容易にすることができる。表示ロジック４８は、ユーザコンピュータ装置１２ａによって表示される情報を送信することにより、ユーザコンピュータ装置１２ａ上におけるこのような情報の表示を容易にすることができる。構造化識別子決定ロジック４９は、取り込みコンテンツに関連するコンテンツ構造化ノードに基づいて、取り込みコンテンツの構造化識別子を決定することができる。ノード関連付けロジック４４、ノード提案ロジック４５、スコア計算ロジック４６、表示ロジック４８及び構造化識別子決定ロジック４９の機能については、以下でさらに詳細に説明する。
【００２４】
なお、図２に示す構成要素は例示的なものにすぎず、本開示の範囲を限定するものではないと理解されたい。具体的に言えば、図２の構成要素は、サーバコンピュータ装置１２ｂ内に存在するように示しているが、これは非限定的な例である。いくつかの実施形態では、これらのコンポーネントのうちの１つ又は２つ以上がサーバコンピュータ装置１２ｂの外部に存在することもできる。同様に、図２は、サーバコンピュータ装置１２ｂに関するものであるが、ユーザコンピュータ装置１２ａ及び管理者コンピュータ装置１２ｃなどの他のコンポーネントも、同様のハードウェア、ソフトウェア及び／又はファームウェアを含むことができる。
【００２５】
次に図３を参照すると、取り込みコンテンツに関連するコンテンツ構造化ノードの階層ビューを表示する方法３００を図式的に示すフローチャートを示している。図３のブロックに関連するステップについては別個のタスクとして説明するが、他の実施形態では、これらのブロックを組み合わせることも、又は省略することもできる。さらに、図３のブロックに関連するステップについては、特定の順序で実行されるものとして説明するが、他の実施形態では、これらのステップを異なる順序で実行することもできる。
【００２６】
引き続き図３を参照すると、ブロック３０２において階層分類を準備する。例えば、いくつかの実施形態では、階層分類３８ａがデータストレージ要素３６内に準備される。他の実施形態では、階層分類をサーバコンピュータ装置１２ｂに送信することができる。上記で詳細に説明したように、準備される階層分類は複数のノードを含み、コンテンツ構造化ノードのうちの１つ又は２つ以上を取り込みコンテンツ項目に関連付ける際に取り込みコンテンツ項目の分類又は構造化を容易にすることができる。階層分類３８ａは、一般に複数レベルのツリーにおけるノードを含むツリー状構造を有する。階層分類３８ａの高位レベルにおけるノードは、通常は一般性が高く、階層分類３８ａの低位レベルにおけるノードは、通常は特異性が高い。階層分類３８ａの親ノードは、この一般性の高い親ノードの話題又は主題のさらに特異性の高い話題又は主題に関連する１又は２以上の子ノードを有することができる。いくつかの実施形態では、サーバコンピュータ装置１２ｂが階層分類３８ａをＸＭＬ表現（例えば、各ノードがノード識別子及びノード名を含むＸＭＬ表現）で表すことができるが、他の実施形態では、階層分類３８ａを、連結リスト、配列又は同様のものなどの他の方法で表し、又は記憶することができる。
【００２７】
引き続き図３を参照すると、ブロック３０４において、サーバコンピュータ装置１２ｂが、複数の取り込みコンテンツ項目を受け取る。上述したように、取り込みコンテンツ項目は、ユーザが取り込んだ文書、文書の一部、画像、録音、ビデオ、ウェブページ又は同様のものを含むことができる。取り込みコンテンツ項目は、ユーザが、コンテンツ項目を後で取り出せるように保存し、分類し、又は構造化すべきであるなどの旨を示した時などに様々な方法で取り込むことができる。非限定的な例として、図５に、本明細書で説明するコンテンツ項目を取り込むために使用できるグラフィカルユーザインターフェイス５００を概略的に示す。グラフィカルユーザインターフェイス５００は、ユーザコンピュータ装置１２ａのディスプレイ上に表示することができる。グラフィカルユーザインターフェイス５００は、コンテンツ表示領域５０４と、ハイライト編集ダイアログボックス５１０とを含むことができる。コンテンツ表示領域５０４は、裁判所の意見などの文書を表示することができる。ユーザは、ハイライト部分５０２上でマウスカーソルをドラッグし、又はハイライト部分５０２を別様に選択することにより、表示された文書のハイライト部分５０２を選択して取り込みコンテンツとして取り込むことができる。
【００２８】
引き続き図５を参照すると、いくつかの実施形態では、ユーザがハイライト部分５０２を選択したことに応答して、ユーザコンピュータ装置１２ａ又はサーバコンピュータ装置１２ｂが、ハイライト編集ダイアログボックス５１０を表示することができる。ハイライト編集ダイアログボックス５１０は、ハイライトテキスト部分５１２、タグ入力ボックス５１４、推奨コンテンツ構造化ノード領域５１６、保存ボタン５２２、及び取り消しボタン５２４を含むことができる。ハイライトテキスト部分５１２は、ユーザが選択した文書のうちのハイライト部分５０２のテキストを含む。タグ入力ボックス５１４では、ユーザがハイライトテキスト部分５１２に１又は２以上のタグ又はコンテンツ構造化ノードを関連付けることができる。推奨コンテンツ構造化ノード領域５１６は、以下で詳細に説明するように、ハイライトテキスト部分５１２に関連付けるための１又は２以上の推奨又は提案されるコンテンツ構造化ノードを含むことができる。ユーザは、保存ボタン５２２を操作して、ハイライトテキスト部分５１２を取り込みコンテンツ項目として取り込むことができる。また、ユーザは、取り消しボタン５２４を操作して、ハイライトテキスト部分５１２を取り込みコンテンツとして取り込むのを取り消すこともできる。
【００２９】
本明細書で説明する機能を示すのに役立つように、図３の説明を通じて一貫した非限定的な例として、Ｄｏｎ、Ｇａｒｙ及びＰｅｔｅｒという３人のユーザのチームが、ＮＣＡＡアスリートに補償を行うべきかどうかについての問題を調査することができる。各ユーザは、チームの調査の一部として、ウェブページ、法律文書、ビデオ、録音又は同様のものなどの複数の異なるタイプのコンテンツ項目を見直すことができる。ユーザは、ＮＣＡＡアスリートの補償問題を精査する際に、後で見直すことが有用であると思われるコンテンツ項目を取り込みたいと望むことができる。Ｄｏｎは、第１の取り込みコンテンツ項目を取り込み、Ｇａｒｙは、第２の取り込みコンテンツ項目を取り込み、Ｐｅｔｅｒは、第３の取り込みコンテンツ項目を取り込み、Ｄｏｎは、第４の取り込みコンテンツ項目を取り込み、Ｐｅｔｅｒは、第５の取り込みコンテンツ項目を取り込むことができる。これらの取り込みコンテンツ項目の各々は、取り込むべきコンテンツをハイライト表示又は他の方法で選択することなどによるあらゆる好適な方法で取り込むことができる。
【００３０】
引き続きこの非限定的な例を参照すると、Ｄｏｎが取り込んだ第１の取り込みコンテンツ項目は、ＡＢＡジャーナルのウェブ記事の、「集団訴訟案では、被告が奨学金の額に上限を設けることによって競争を制限していると主張する。訴訟では、『これらの違法な制限の結果、市場原理が脇に追いやられ、多くの大学生アスリートが多額の損害を受け、その労務が他人にしか豊かな富をもたらしていない。この集団訴訟は、独占禁止法の最も基本的な原則と矛盾するＮＣＡＡの不法なカルテルを終結させるために必要である。』と述べられている」（ｈｔｔｐ：／／ｗｗｗ．ａｂａｊｏｕｒｎａｌ．ｃｏｍ／ｎｅｗｓ／ａｒｔｉｃｌｅ／ｎｅｗ＿ａｎｔｉｔｒｕｓｔ＿ｓｕｉｔ＿ａｇａｉｎｓｔ＿ｎｃａａ＿ｓａｙｓ＿ｐｌａｙｅｒｓ＿ｓｈｏｕｌｄ＿ｂｅ＿ａｌｌｏｗｅｄ＿ｔｏ＿ｓｈａｒｅ＿ｔｈｅ、２０１４年６月にアクセス）という部分である。Ｄｏｎが（例えば、図５に関して上述した方法で）第１の取り込みコンテンツ項目をハイライト表示又は他の方法で選択したことに応答して、サーバコンピュータ装置１２ｂは、第１の取り込みコンテンツ項目を受け取ることができる。
【００３１】
引き続きこの一貫した非限定的な例を参照すると、Ｇａｒｙが取り込んだ第２の取り込みコンテンツ項目は、ある訴状からＧａｒｙがハイライト表示した、「各階級における各人は、限定ではないが本訴状に示すＮＣＡＡ細則及び競技連盟規則を含む、選手の労務競争を制限する、被告間における同一の協定、規則及び慣行、並びに各階級のメンバに被告が一律に課している又は今後一律に課すようになるありとあらゆる同様の選手制限の対象であり、対象になったことがあり、及び／又は今後対象になる。実際に、論争中のＮＣＡＡ規則は、各それぞれの階級の全てのメンバに一律に適用される」（「訴状及び陪審員請求：差し止め命令及び個人的損害を求める集団訴訟（Ｃｏｍｐｌａｉｎｔ  Ａｎｄ  Ｊｕｒｙ  Ｄｅｍａｎｄ  −  Ｃｌａｓｓ  Ａｃｔｉｏｎ  Ｓｅｅｋｉｎｇ  Ｉｎｊｕｎｃｔｉｏｎ  Ａｎｄ  Ｉｎｄｉｖｉｄｕａｌ  Ｄａｍａｇｅｓ）」Ｊｅｎｋｉｎｓ  ｅｔ  ａｌ．  ｖ  ＮＣＡＡ  ｅｔ  ａｌ．事件、９頁、ニュージャージー州、２０１４年）という段落である。Ｇａｒｙが（例えば、図５に関して上述した方法で）第２の取り込みコンテンツ項目をハイライト表示又は他の方法で選択したことに応答して、サーバコンピュータ装置１２ｂは、第２の取り込みコンテンツ項目を受け取ることができる。
【００３２】
引き続きこの一貫した非限定的な例を参照すると、Ｐｅｔｅｒが取り込んだ第３の取り込みコンテンツ項目は、Ｐｅｔｅｒがハイライト表示したニューヨークタイムズ紙の新聞記事の、「Ｎ．Ｃ．Ａ．Ａ．には、独占禁止法の免除もなければ交渉を行う選手会もない。換言すれば、Ｎ．Ｃ．Ａ．Ａ．には、プロスポーツを独禁法訴訟から保護する法的保護の一部が欠けている。その代わり、Ｎ．Ｃ．Ａ．Ａ．にあるのは、プロになる夢を抱き、その目標を達成する手助けをＮ．Ｃ．Ａ．Ａ．が行うのであればどれほど難儀であろうともあらゆる文書に喜んで署名する若者にあふれた労働力である。Ｎ．Ｃ．Ａ．Ａ．が彼らに署名を迫る文書は、彼らに対する不正な手段である。」（ｈｔｔｐ：／／ｗｗｗ．ｎｙｔｉｍｅｓ．ｃｏｍ／２０１１／１２／３１／ｏｐｉｎｉｏｎ／ｎｏｃｅｒａ−ｔｈｅ−ｃｏｌｌｅｇｅ−ｓｐｏｒｔｓ−ｃａｒｔｅｌ．ｈｔｍｌ？＿ｒ＝０、２０１４年７月２８日にアクセス）」という部分である。Ｐｅｔｅｒが（例えば、図５に関して上述した方法で）第３の取り込みコンテンツ項目をハイライト表示又は他の方法で選択したことに応答して、サーバコンピュータ装置１２ｂは、第３の取り込みコンテンツ項目を受け取ることができる。
【００３３】
引き続きこの一貫した非限定的な例を参照すると、Ｄｏｎは、見直していた訴訟事例から、「原告は、被告による大学生アスリートのための代理人及びドラフト禁止規則によって引き起こされる識別不能な市場に対する競争制限効果についての申し立てを行わなかったので、シャーマン法に基づく訴因に言及していない。」という第４の取り込みコンテンツ項目を取り込んだ。Ｄｏｎが（例えば、図５に関して上述した方法で）第４の取り込みコンテンツ項目をハイライト表示又は他の方法で選択したことに応答して、サーバコンピュータ装置１２ｂは、第４の取り込みコンテンツ項目を受け取ることができる。
【００３４】
引き続きこの一貫した非限定的な例を参照すると、Ｐｅｔｅｒは、見直していた訴訟事例から、「裁判所は、シャーマン法に違反する価格協定、市場の独占及び集団ボイコットについての下級裁判所の判決を支持し、幅広さ及び曖昧性の問題に関する再審理の差し止め命令を破棄した。」という第５の取り込みコンテンツ項目を取り込んだ。Ｐｅｔｅｒが（例えば、図５に関して上述した方法で）第５の取り込みコンテンツ項目をハイライト表示又は他の方法で選択したことに応答して、サーバコンピュータ装置１２ｂは、第５の取り込みコンテンツ項目を受け取ることができる。
【００３５】
再び図３を参照すると、ブロック３０６において、メモリ要素４０に記憶されているノード関連付けロジック４４は、プロセッサ３０によって実行された時に、サーバコンピュータ装置１２ｂに、ブロック３０４で受け取った複数の取り込みコンテンツ項目を（階層分類３８ａの複数のノードからの）複数のコンテンツ構造化ノードに関連付けさせる。複数の取り込みコンテンツ項目の各々は、複数のコンテンツ構造化ノードのうちの少なくとも１つに関連するようになる。いくつかの実施形態では、複数の取り込みコンテンツ項目の各々について１つのコンテンツ構造化ノード（すなわち、複数の取り込みコンテンツ項目の各々にとって「最良」のコンテンツ構造化ノード）のみが識別される。他の実施形態では、複数の取り込みコンテンツ項目の各々について複数のコンテンツ構造化ノードが識別される。コンテンツ構造化ノードは、メモリ要素４０内でコンテンツ構造化ノードを取り込みコンテンツ項目にリンクさせることによって複数の取り込みコンテンツ項目に関連付けることができる。以下で説明するように、コンテンツ構造化ノードを取り込みコンテンツ項目に関連付けることにより、取り込みコンテンツ項目の構造化及び分類が改善されて、コンテンツ構造化ノードを示す階層ビューを表示できるようになり、ユーザが階層ビューを見ることによって取り込みコンテンツ項目の構造化又は分類を直感的かつ効率的に理解することが促される。
【００３６】
引き続き図３のブロック３０６を参照すると、いくつかの実施形態では、取り込みコンテンツ項目に関連するコンテンツ構造化ノードを、階層分類３８ａのノードについて計算した構造的適合スコア強度に基づいて階層分類３８ａのノードの領域から識別することができる。例えば、複数の取り込みコンテンツ項目のうちの特定の取り込みコンテンツ項目について、階層分類３８ａの複数のノードの各ノードの構造的適合スコア強度を計算することができる。あるノードの構造的適合スコア強度は、そのノードが特定の取り込みコンテンツ項目に関連する程度を示す。構造的適合スコア強度は、メモリ要素４０に記憶されているスコア計算ロジック４６が計算することができる。いくつかの実施形態では、構造的適合スコア強度を、コンテンツ分類器が特定の取り込みコンテンツ項目及びノードを入力として受け取り、その特定の取り込みコンテンツ項目に対するそのノードの構造的適合スコア強度を出力することによって計算することができる。いくつかの実施形態では、構造的適合スコア強度が０〜１の実数であり、数字が大きいほど適合性が高いことが示される。いくつかの実施形態では、構造的適合スコア強度が０％〜１００％のパーセンテージであり、パーセンテージが高いほど適合性が高いことが示される。
【００３７】
非限定的な例として、第１の取り込みコンテンツ項目及び第２の取り込みコンテンツ項目を含む実施形態では、第１の取り込みコンテンツ項目に対する階層分類３８ａの各ノードの第１のコンテンツ構造的適合スコア強度を計算することによって第１の取り込みコンテンツ項目の最良適合ノードを決定することができる。この結果、この第１の取り込みコンテンツ項目の最良適合ノードを、第１の取り込みコンテンツ項目に対する第１のコンテンツ構造的適合スコア強度が最も高い階層分類３８ａのノードとして決定することができる。同様に、第２の取り込みコンテンツ項目に対する階層分類３８ａの各ノードの第２のコンテンツ構造的適合スコア強度を計算することによって第２の取り込みコンテンツ項目の最良適合ノードを決定することができる。この第２の取り込みコンテンツ項目の最良適合ノードは、第２の取り込みコンテンツ項目に対する第２のコンテンツ構造的適合スコア強度が最も高い階層分類３８ａのノードである。第１の取り込みコンテンツ項目には、第１の取り込みコンテンツ項目の最良適合ノードに基づいて第１のコンテンツ構造化ノードを関連付けることができる。第２の取り込みコンテンツ項目には、第２の取り込みコンテンツ項目の最良適合ノードに基づいて第２のコンテンツ構造化ノードを関連付けることができる。いくつかの実施形態では、第１のコンテンツ構造化ノード及び第２のコンテンツ構造化ノードが、第１のコンテンツ構造化ノード及び第２のコンテンツ構造化ノードの親である共通コンテンツ構造化ノード(common content organization node)である。いくつかの実施形態では、第１のコンテンツ構造化ノードが、第１の取り込みコンテンツ項目の最良適合ノードであり、第２のコンテンツ構造化ノードが、第２の取り込みコンテンツ項目の最良適合ノードであるが、実施形態はこのように限定されるものではない。次に、図６を参照しながら、構造的適合スコア強度の計算、及びノードと取り込みコンテンツ項目との関連付けの具体例を示す。
【００３８】
図６には、本明細書で説明する一貫した非限定的な例の５つの取り込みコンテンツ項目の各々に関連するノードの構造的適合スコア強度の計算を示すために、これらの５つの取り込みコンテンツ項目の各々についてコンテンツ分類器が計算した構造的適合スコア強度が最も高い３つのノードを含む階層ビュー６００を概略的に示す。ノードの隣に示す四角内の数字は、取り込みコンテンツ項目の番号に対応する（例えば、四角内の「１」は、その隣のノードが第１の取り込みコンテンツ項目に関連することを示し、四角内の「２」は、その隣のノードが第２の取り込みコンテンツ項目に関連することを示し、四角内の「３」は、その隣のノードが第３の取り込みコンテンツ項目に関連することを示し、四角内の「４」は、その隣のノードが第４の取り込みコンテンツ項目に関連することを示し、四角内の「５」は、その隣のノードが第５の取り込みコンテンツ項目に関連することを示す）。四角内の数字の隣に示す四角内の文字は、そのコンテンツ項目を誰が取り込んだかに対応する（例えば、四角内の「１」の隣の四角内の「Ｄ」は、Ｄｏｎが第１の取り込みコンテンツ項目を取り込んだことを示し、四角内の「２」の隣の四角内の「Ｇ」は、Ｇａｒｙが第２の取り込みコンテンツ項目を取り込んだことを示し、四角内の「３」の隣の四角内の「Ｐ」は、Ｐｅｔｅｒが第３の取り込みコンテンツ項目を取り込んだことを示し、四角内の「４」の隣の四角内の「Ｄ」は、Ｄｏｎが第４の取り込みコンテンツ項目を取り込んだことを示し、四角内の「５」の隣の四角内の「Ｐ」は、Ｐｅｔｅｒが第５の取り込みコンテンツ項目を取り込んだことを示す）。
【００３９】
引き続き図６を参照すると、ノードの後の括弧内には、取り込みコンテンツ項目に対する計算したノードの構造的適合スコア強度を示している。具体的には、第１のノード６０１（「独占禁止法及び通商法」＜「免除及び免責」＜「総括」）は、第３の取り込みコンテンツ項目に対する構造的適合スコア強度が０．４９である。第１のノード６０１は、第４の取り込みコンテンツ項目に対する構造的適合スコア強度が０．８５である。第２のノード６０２（「独占禁止法及び通商法」＜「免除及び免責」＜「労働」＜「総括」）は、第３の取り込みコンテンツ項目に対する構造的適合スコア強度が０．７３である。第３のノード６０３（「独占禁止法及び通商法」＜「免除及び免責」＜「労働」＜「法的免除」）は、第３の取り込みコンテンツ項目に対する構造的適合スコア強度が０．６５である。第４のノード６０４（「独占禁止法及び通商法」＜「免除及び免責」＜「ノア・ペニントン理論」＜「請願権免責」）は、第５の取り込みコンテンツ項目に対する構造的適合スコア強度が０．９８である。第５のノード６０５（「独占禁止法及び通商法」＜「規制慣行」＜「独占及び独占行為」＜「独占の共謀」＜「シャーマン法」）は、第２の取り込みコンテンツ項目に対する構造的適合スコア強度が０．５１である。第５のノード６０５は、第４の取り込みコンテンツ項目に対する構造的適合スコア強度が０．９９である。第５のノード６０５は、第５の取り込みコンテンツ項目に対する構造的適合スコア強度が０．９９である。第６のノード６０６（「独占禁止法及び通商法」＜「規制慣行」＜「価格協定及び取引制限」＜「総括」）は、第２の取り込みコンテンツ項目に対する構造的適合スコア強度が０．５１である。第７のノード６０７（「独占禁止法及び通商法」＜「規制慣行」＜「価格協定及び取引制限」＜「カルテル及び水平的制限」＜「価格協定」）は、第１の取り込みコンテンツ項目に対する構造的適合スコア強度が０．３８である。第８のノード６０８（「独占禁止法及び通商法」＜「規制慣行」＜「価格協定及び取引制限」＜「当然違法の原則及び合理の原則」＜「総括」）は、第２の取り込みコンテンツ項目に対する構造的適合スコア強度が０．６４である。第９のノード６０９（「独占禁止法及び通商法」＜「規制慣行」＜「価格協定及び取引制限」＜「当然違法の原則及び合理の原則」＜「当然違法行為」）は、第５の取り込みコンテンツ項目に対する構造的適合スコア強度が０．９９である。第１０のノード６１０（「独占禁止法及び通商法」＜「規制慣行」＜「価格協定及び取引制限」＜「垂直的制限」＜「価格協定」）は、第１の取り込みコンテンツ項目に対する構造的適合スコア強度が０．３５である。第１１のノード６１１（「独占禁止法及び通商法」＜「規制慣行」＜「私訴」「購買者」＜「間接購買者」）は、第１の取り込みコンテンツ項目に対する構造的適合スコア強度が０．２７である。第１２のノード６１２（「独占禁止法及び通商法」＜「シャーマン法」＜「総括」）は、第４の取り込みコンテンツ項目に対する構造的適合スコア強度が０．４７である。
【００４０】
引き続き図３のブロック３０６を参照すると、構造的適合スコア強度を計算したノードを、そのノードの構造的適合スコア強度に基づいて特定の取り込みコンテンツ項目に関連付けることができる。例えば、第１の取り込みコンテンツ項目に対する階層分類３８の各ノードの構造的適合スコア強度を計算するいくつかの実施形態では、第１の取り込みコンテンツ項目に対する構造的適合スコア強度が最も高いノードが、第１の取り込みコンテンツ項目の最良適合コンテンツ構造化ノードとして関連付けられる。本明細書で説明する一貫した非限定的な例に戻って図６を参照すると、第１の取り込みコンテンツ項目の最良適合コンテンツ構造化ノードは、第１の取り込みコンテンツ項目に対する０．３８という構造的適合スコア強度が、第１の取り込みコンテンツ項目に関連する他の２つのノード（例えば、第１の取り込みコンテンツ項目に対するスコアが０．２７である第１１のノード６１１、及び第１の取り込みコンテンツ項目に対するスコアが０．３５である第１０のノード６１０）の構造的適合スコア強度よりも高いという理由で第７のノード６０７になる。同様に、他の４つの取り込みコンテンツ項目の最良適合コンテンツ構造化ノードも、これらの取り込みコンテンツ項目に対する構造的適合スコア強度が最も高いノードとして決定することができる。いくつかの実施形態では、取り込みコンテンツ項目に対する構造的適合スコア強度が最も高いノードが「総括」ノードである場合、「総括」ノードの親ノードを最良適合コンテンツ構造化ノードとして決定することができる。例えば、図３では、第２の取り込みコンテンツ項目に対する構造的適合スコア強度が最も高いのは第２のノード６０２であるが、この第２のノード６０２は「総括」である。従って、第２のノード６０２の親ノード（すなわち、「独占禁止法及び通商法」＜「免除及び免責」＜「労働」ノード）を第２の取り込みコンテンツ項目の最良適合コンテンツ構造化ノードとして決定することができる。
【００４１】
いくつかの実施形態では、計算した構造的適合スコア強度が自動関連付けスコア閾値に達し、又はこの閾値を超える場合（例えば、５０％超、６０％超など）、階層分類３８ａのノードのうちの１つが取り込みコンテンツ項目に関連付けられる。このような実施形態では、複数のコンテンツ構造化ノードを自動的に単一の取り込みコンテンツ項目に関連付けることができる。階層分類３８のノードのうちの１つの構造的適合スコア強度を計算するいくつかの実施形態では、構造的適合スコア強度が自動関連付けスコア閾値を満たさない又は超えない場合、このノードが自動的に取り込みコンテンツ項目に関連付けられないようにすることもできる。いくつかの実施形態では、構造的適合スコア強度の計算又はコンテンツ分類器の使用を含まない方法でコンテンツ構造化ノードを識別することもできる。
【００４２】
階層分類３８のノードのうちの１つのノードの構造的適合スコア強度を計算するいくつかの実施形態では、構造的適合スコア強度が提案閾値スコアを超える場合、このノードをコンテンツ構造化ノード提案として表示することができる。ノード提案は、メモリ要素４０に記憶されているノード提案ロジック４５が生成することができる。例えば、ここで図５を参照すると、ハイライトテキスト部分５１２の取り込みコンテンツに基づいて、階層分類３８ａの「特許差し止め命令」ノードの構造的適合スコア強度を計算することができる。この構造的適合スコア強度は０．４５として計算することができ、これは０．５という自動関連付けスコア閾値を下回るが、０．４という提案スコア閾値を上回ることができる。計算された構造的適合スコア強度が０．４という提案スコア閾値を超えているので、この「特許差し止め命令」ノードを推奨コンテンツ構造化ノード領域５１６内に表示することができる。サーバコンピュータ装置１２ｂは、「特許差し止め命令」コンテンツ構造化ノード提案を表示した後、「特許差し止め命令」コンテンツ構造化ノード提案の選択を示す入力（例えば、ユーザが「特許差し止め命令」ノードをクリック又は別様に選択して、保存ボタン５２２をクリック又は別様に選択したことを示す入力）を受け取ることができる。サーバコンピュータ装置１２ｂは、「特許差し止め命令」コンテンツ構造化ノード提案の選択を示す入力を受け取った後、この「特許差し止め命令」ノードを取り込みコンテンツに関連付けることができる。ノードの構造的適合スコア強度が提案スコア閾値を超えていて自動関連付けスコア閾値を超えていない時にコンテンツ構造化ノード提案を表示することにより、サーバコンピュータ装置１２ｂが自動的に適用するほど十分な信頼を有していないノードを、ユーザに何らかの裁量権を与えることによって適宜に適用することができる。
【００４３】
再び図３を参照すると、ブロック３０８において、メモリ要素４０に記憶されている表示ロジック４８は、プロセッサ３０によって実行された時に、サーバコンピュータ装置１２ｂにコンテンツ構造化ノードを含む階層ビューを表示させる。いくつかの実施形態では、サーバコンピュータ装置１２ｂからユーザコンピュータ装置１２ａにメッセージが送信されたことに応答して、ユーザコンピュータ装置１２ａ上にコンテンツ構造化ノードの階層ビューが表示される。この階層ビューは、ブロック３０６における複数の取り込みコンテンツ項目に関連する複数のコンテンツ構造化ノードを含む。この階層ビューは、複数のコンテンツ構造化ノード毎に、コンテンツ構造化ノードが複数の取り込みコンテンツ項目のうちの少なくとも１つに関連する旨のグラフィカル表現を含む。第１の取り込みコンテンツ項目に関連する第１のコンテンツ構造化ノードと、第２の取り込みコンテンツ項目に関連する第２のコンテンツ構造化ノードとを含む実施形態では、グラフィカル表現が、第１の取り込みコンテンツ項目が第１のコンテンツ構造化ノードに関連し、第２の取り込みコンテンツ項目が第２のコンテンツ構造化ノードに関連することを示す。
【００４４】
例えば、一貫した非限定的な例を再び図７と共に参照すると、第１のノード７０１は、Ｐｅｔｅｒが取り込んだ第３の取り込みコンテンツ項目に関連することができ、第２のノード７０２は、Ｄｏｎが取り込んだ第４の取り込みコンテンツ項目に関連することができ、第３のノード７０３は、Ｄｏｎが取り込んだ第１の取り込みコンテンツ項目に関連することができ、第４のノード７０４は、Ｇａｒｙが取り込んだ第２の取り込みコンテンツ項目に関連することができ、第５のノード７０５は、Ｐｅｔｅｒが取り込んだ第５の取り込みコンテンツ項目に関連することができる。第１のノード７０１、第２のノード７０２、第３のノード７０３、第４のノード７０４及び第５のノード７０５の各々は、各それぞれのコンテンツ構造化ノードが取り込みコンテンツ項目に関連付けられていることを示すグラフィカル表現を含む。いくつかの実施形態では、あるノードが取り込みコンテンツ項目に関連する旨のグラフィカル表現が、そのノードの近傍に表示される取り込み属性アイコンを含む。いくつかの実施形態では、取り込み属性アイコンが、コンテンツ構造化ノードに関連する取り込みコンテンツ項目の取り込みに関する属性を示す。取り込み属性アイコンは、そのノードに関連する取り込みコンテンツ項目を取り込んだユーザ、そのノードに関連する取り込みコンテンツ項目の取り込み時間、そのノードに関連する取り込みコンテンツ項目のコンテンツタイプ、又は同様のものを示すことができる。図７に示す実施形態では、取り込み属性アイコンが、そのノードに関連する取り込みコンテンツ項目を取り込んだユーザを示す（例えば、第１のノード７０１の隣の四角内の「Ｐ」のアイコンは、Ｐｅｔｅｒによって取り込まれた取り込みコンテンツ項目が第１のノード７０１に関連することを示し、第２のノード７０２の隣の四角内の「Ｄ」のアイコンは、Ｄｏｎによって取り込まれた取り込みコンテンツ項目が第２のノード７０２に関連することを示し、第３のノード７０３の隣の四角内の「Ｄ」のアイコンは、Ｄｏｎによって取り込まれた取り込みコンテンツ項目が第３のノード７０３に関連することを示し、第４のノード７０４の隣の四角内の「Ｇ」のアイコンは、Ｇａｒｙによって取り込まれた取り込みコンテンツ項目が第４のノード７０４に関連することを示し、第５のノード７０５の隣の四角内の「Ｐ」のアイコンは、Ｐｅｔｅｒによって取り込まれた取り込みコンテンツ項目が第５のノード７０５に関連することを示す）。いくつかの実施形態では、取り込みコンテンツ項目とコンテンツ構造化ノードとの間の関連性を、ノードをハイライト表示又は色分けして、そのノードに１又は２以上の取り込みコンテンツ項目が関連することを示したり、或いはそのノードを、関連する取り込みコンテンツ項目を有していないノードと図形的に区別したりなどの別の方法で示すことができる。
【００４５】
チームの１又は複数のユーザによってどのノードが取り込みコンテンツに関連付けられているかを図形的に区別する、取り込みコンテンツ項目に関連するコンテンツ構造化ノードを示す階層ビューを提示することにより、ユーザ又はチームメンバは、表示された階層ビューを素早く視覚的に見直すことによって、複数の取り込みコンテンツの主題又は分類を直感的かつ効率的に理解することができる。さらに、ユーザは、複数のコンテンツ構造化ノードに関連するコンテンツ構造化ノードを識別することなどにより、追加情報を求めてさらに調査すべき領域を識別することができる。いくつかの実施形態では、ユーザが、表示されたコンテンツ構造化ノードの１つをクリック又は別様に選択して、そのノードに関連する取り込みコンテンツ項目と共に提示されるようにすることができる。例えば、ユーザは、第１のノード７０１（図７）をクリック又は選択して、このノードに関連する取り込みコンテンツ項目のリストを取り出すことができる。このような実施形態では、システムが、選択された第１のノード７０１を示す入力を受け取り、第１のノード７０１に関連する１又は２以上の文書を識別することができる。識別された文書は、リスト表示などの様々な形でユーザに提示することができる。その後、ユーザは、識別された文書を調査し、場合によってはさらなるコンテンツを取り込んで、上述したように処理して上述したように階層ビューに含めることができる。
【００４６】
いくつかの実施形態では、複数のコンテンツ構造化ノードを拡散率(spread factor)に基づいて複数の取り込みコンテンツ項目に関連付けることができる。いくつか文脈では、取り込みコンテンツ項目の構造化を少ないノード間に集中させることが望ましいと考えられ、他の実施形態では、取り込みコンテンツ項目の構造化を多くのノード間に拡散させることが望ましいと考えられる。例えば、図７には、一貫した例の５つの取り込みコンテンツ項目がそれぞれ単一のノードに関連する高度拡散階層ビュー７００の実施形態を示している。対称的に、図８には、第１のノード８０１が、Ｐｅｔｅｒによって取り込まれた第３の取り込みコンテンツ項目に関連し、第２のノード８０２が、Ｄｏｎによって取り込まれた第４の取り込みコンテンツ項目に関連し、第３のノード８０３が、Ｄｏｎによって取り込まれた第１の取り込みコンテンツ項目、Ｇａｒｙによって取り込まれた第２の取り込みコンテンツ項目及びＰｅｔｅｒによって取り込まれた第５の取り込みコンテンツ項目に関連する集中階層ビュー８００の実施形態を示している。図８に示すような集中度の高い階層ビューが望ましい実施形態では、第１の取り込みコンテンツ項目、第２の取り込みコンテンツ項目及び第５の取り込みコンテンツ項目の最良適合コンテンツ構造化ノードの各々が第３のノード８０３を親ノードとして共有しているので、（上述した）これらのコンテンツ項目の共通コンテンツ構造化ノード（例えば、第３のノード８０３）を決定することができる。従って、いくつかの実施形態では、最良適合コンテンツ構造化ノードが共通の親ノードを共有している複数の取り込みコンテンツ項目をこの共通の親ノードにそれぞれ関連付けることにより、共通の親ノードが取り込みコンテンツ項目の各々のコンテンツ構造化ノードになるようにすることができる。コンテンツ構造化ノードを取り込みコンテンツ項目に関連付けるルールは、（自動的に割り当てることも、又はユーザが設定することもできる）拡散率、共同作業者の数、１又は２以上のノードの構造的適合スコア強度、親ノードの共通性、又は同様のものに基づくことができる。例えば、いくつかの実施形態では、共通の親ノードを有するノードに３又は４以上の取り込みコンテンツ項目が関連する場合に、共通の親ノードを有する取り込みコンテンツ項目が共通の親ノードに関連付けられない限り、取り込みコンテンツ項目を構造的適合スコア強度に基づいてコンテンツ構造化ノードに関連付ける自動構造化アルゴリズムを用いてコンテンツ構造化ノードを取り込みコンテンツ項目に関連付けることができる。いくつかの実施形態では、取り込みコンテンツ項目を所望の拡散レベルに基づいて階層分類３８ａのノードに関連付けし直すことにより、階層ビューを自動構造化することができる。このような自動構造化機能は、コンテンツ構造化ノード間における取り込みコンテンツ項目の拡散度又は集中度の制御を容易にすることができる。
【００４７】
いくつかの実施形態では、表示される階層ビューを剪定階層ビューとすることができる。剪定階層ビューとは、階層ビュー内に表示されるツリーの１又は２以上の分枝に、取り込みコンテンツに関連するノードが存在しない時に、その分枝が表示されない階層ビューのことである。非限定的な例として、図７には、関連する取り込みコンテンツ項目を有するノードを含む分枝のみが表示された剪定階層ビューを概略的に示している。剪定階層ビューを表示することによって不要なクラッタを表示から削除することができ、これによってどの分枝が取り込みコンテンツに最も関連しているかをユーザが容易に識別できるようになる。
【００４８】
いくつかの実施形態では、表示される階層ビューを非剪定階層ビューとすることができる。非剪定階層ビューとは、関連する取り込みコンテンツ項目を有していないツリーの少なくとも１つの分枝又は葉が表示される階層ビューのことである。例えば、図９には、図７に示す剪定階層ビューの非剪定バージョンを示している。このような非剪定階層ビューは、関連する取り込みコンテンツを有していないノードを調査可能にすることによってさらなる取り込みコンテンツの調査を容易にすることができ、場合によっては調査目的に関連する追加材料が見つかることもある。いくつかの実施形態では、階層ビューで表示されるコンテンツ構造化ノードのうちの１つ又は２つ以上をハイライト表示して、このハイライト表示されたノードに関連する他のコンテンツが取り込みコンテンツに関連することを示すことができる。例えば、図９には、ハイライト表示された「価格協定」ノード９２０を示すことにより、「価格協定」ノード９２０に関連するさらなる非取り込み文書が調査目的に関連し得ることを示している。いくつかの実施形態では、ユーザが、「価格協定」ノード９２０をクリック又は別様に選択することができる。システムは、選択された「価格協定」ノード９２０を示す入力を受け取って、この「価格協定」ノード９２０に関連する、一部がいずれの取り込みコンテンツにも関連していない可能性のある１又は２以上の文書を識別することにより、ユーザによる探索の拡大、又はこれまでに見つかっていないコンテンツの見直しを可能にすることができる。識別された文書は、リスト表示、クラスタ表示又は同様のものなどの様々な形でユーザに提示することができる。その後、ユーザは、識別された文書を調査し、場合によってはさらなるコンテンツを取り込んで上述したように処理し、上述したように階層ビューに含めることができる。
【００４９】
次に図４を参照すると、取り込みコンテンツの構造化識別子を決定する方法４００を図式的に示すフローチャートを示している。図４のブロックに関連するステップは、別個のタスクとして説明しているが、他の実施形態では、これらのブロックを組み合わせることも、又は省略することもできる。さらに、図４のブロックに関連するステップは、特定の順序で実行されるものとして説明しているが、他の実施形態では、これらのステップを異なる順序で実行することもできる。
【００５０】
引き続き図４を参照すると、ブロック４０２において、取り込みコンテンツを受け取る。取り込みコンテンツは、図３のブロックに関して上述した方法と同じ方法で受け取ることができる。ブロック４０４において、図３のブロック３０６に関して上述したように、ブロック４０２において受け取った取り込みコンテンツ項目の各々に複数のコンテンツ構造化ノード（例えば、閾値を上回る構造的適合スコア強度を有する階層分類の全てのノード）を関連付ける。上述した階層分類３８ａは複数のノードを含み、これらのノードから複数のコンテンツ構造化ノードを上述した方法で識別することができる。
【００５１】
引き続き図４を参照すると、ブロック４０６において、複数のコンテンツ構造化ノードに基づいて、取り込みコンテンツ項目の構造化識別子を決定する。いくつかの実施形態では、構造化識別子が、階層分類３８ａのコンテンツ構造化ノードのうちの１つなどのコンテンツ構造化ノードであり、これによってコンテンツ構造化ノードを用いて取り込みコンテンツの構造化及び記憶を行うことができる。いくつかの実施形態では、構造化識別子が、関連するコンテンツを記憶して後で取り出すことができるクライアントマターフォルダ又はコンテンツリポジトリフォルダなどのフォルダである。
【００５２】
引き続き図４のブロック４０６を参照すると、いくつかの実施形態では、適切な場合に以前に取り込んだコンテンツ項目を用いて取り込みコンテンツ項目を構造化できるように、複数のコンテンツ構造化ノードと、複数のコンテンツ構造化ノードのうちの１つ又は２つ以上を共有する以前に取り込んだコンテンツ項目の構造化識別子とに基づいて構造化識別子を決定することができる。いくつかの実施形態では、取り込みコンテンツ及び以前に取り込んだコンテンツが閾値数のコンテンツ構造化ノード（例えば、５超、１０超など）を共有する場合、取り込みコンテンツ項目の構造化識別子が、以前に取り込んだコンテンツ項目の構造化識別子として決定される。
【００５３】
従って、本明細書で説明した実施形態は、取り込みコンテンツに関連するコンテンツ構造化ノードの、取り込みコンテンツの構造化識別子を決定するための階層ビューを表示すると理解されたい。様々な取り込みコンテンツ項目に関連するコンテンツ構造化ノードを示す階層ビューを提示することにより、ユーザは、表示された階層ビューを素早く視覚的に見直すことによって複数の取り込みコンテンツ項目の主題又は分類を直感的かつ効率的に理解することができる。さらに、このような階層ビューは、コンテンツを取り込んで互いに共有するユーザチームによる見直し及び協業を容易にすることができる。さらに、コンテンツ構造化ノードに基づいて取り込みコンテンツの構造化識別子を決定することにより、取り込みコンテンツを後で取り出して分析できるようにするための構造化及び分類を改善することができる。
【００５４】
本明細書では特定の実施形態を図示し説明したが、特許請求する主題の趣旨及び範囲から逸脱することなく、他の様々な変更及び修正を行うことができると理解されたい。さらに、本明細書では、特許請求する主題の様々な態様について説明したが、このような態様を組み合わせて利用する必要はない。従って、添付の特許請求の範囲は、特許請求する主題の範囲に含まれるこのような全ての変更及び修正を対象にすることが意図されている。
【図１】
0006545789.tif 000002
【図２】
0006545789.tif 000003
【図３】
0006545789.tif 000004
【図４】
0006545789.tif 000005
【図５】
0006545789.tif 000006
【図６】
0006545789.tif 000007
【図７】
0006545789.tif 000008
【図８】
0006545789.tif 000009
【図９】
0006545789.tif 000010